(57)【要約】【課題】ストレッチャーがＸ線撮像部に直接衝突することを防ぎ、装置の損傷を未然に防止すると共に、撮影時の被検者への安全が確保する。これにより、側臥位撮影で対応可能な診断部位であれば、ストレッチャーから撮影の為の寝台に被検者を載せ換える必要が無くなり、被検者、介助人の負担を軽減し、撮影の効率化、省力化を計ることが出来る。【解決手段】Ｘ線撮影装置のＸ線撮像部の前方に、被検者を寝載したストレッチャーを横付けすることができ、横付け時に、ストレッチャーがＸ線撮像部に直接衝突することを防止するプロテクト手段と、Ｘ線撮像部の前方でストレッチャーの水平方向の動きを固定するロック手段とを有する。【選択図】        図１
2005006889.tif 000002
【特許請求の範囲】
【請求項１】
被検者のＸ線画像を立位姿勢で得るＸ線撮影装置において、
前記Ｘ線撮影装置のＸ線撮像部の前方に、被検者を寝載したストレッチャーを横付けすることができ、横付け時に、ストレッチャーがＸ線撮像部に直接衝突することを防止するプロテクト手段を有したことを特徴とするＸ線撮影装置。
【請求項２】
被検者のＸ線画像を立位姿勢で得るＸ線撮影装置において、
前記Ｘ線撮影装置のＸ線撮像部の前方に、被検者を寝載したストレッチャーを横付けすることができ、横付け時に、ストレッチャーがＸ線撮像部に直接衝突することを防止するプロテクト手段と、Ｘ線撮像部の前方でストレッチャーの水平方向の動きを固定するロック手段とを有したことを特徴とするＸ線撮影装置。
【請求項３】
前記プロテクト手段は、ストレッチャーをＸ線撮像部と平行状態で移動可能とする摺動部材と、前記摺動部材をＸ線撮像部の前面より突出するように保持する支持部材とから構成されたことを特徴とする請求項１、２記載のＸ線撮影装置。
【請求項４】
前記請求項１、２において、前記プロテクト手段とロック手段とが、Ｘ線撮像部の上下移動とは独立した上下移動手段を備えたことを特徴とする前記請求項１、２記載のＸ線撮影装置。
【発明の詳細な説明】
【０００１】
【発明の属する技術分野】
本発明は、ストレッチャー等に横臥させた被検者に被検者の側方より放射線を投射し、被験者を透過した放射線をストレッチャーの側方に配置した放射線受像部により撮影する撮影手法に適したＸ線撮影装置に関するものである。
【０００２】
【従来の技術】
従来、医療施設では、被検者をブッキーテーブルと呼ばれる寝台の天板上に臥位状態で寝かせ、Ｘ線撮影を行っていた。この天板の高さは、乗り降りが容易なように、比較的低く設定されている。しかし、患者は自力で診療装置の寝台天板上に臥位できる程度の比較的軽度の患者ばかりではなく、中には肢体が不自由な重病患者や、自力で起き上がることさえできない重症患者もいる。このような患者の場合、ストレッチャーと呼ばれる病院内移送用のキャスタ付きベッドが用いられ、病室のベッドから診療装置の寝台の脇まで寝た状態で搬送される。そして、ストレッチャーから診療装置の寝台天板に患者を載せ換える作業を行っている。しかし、このとき当該患者を抱え上げて載せ換えなければならない。これは非常に重労働な作業であり、ときには診療担当者だけでは抱え上げることができなくて、看護婦等の介助要員が必要になることがある。いずれにしても、ストレッチャーから診療装置の寝台への載せ換え作業は、肉体的にも精神的にも負担の大きな作業である。
【０００３】
また、被検者を寝台に乗せ換えた後、被検者の側面よりＸ線を照射して撮影を行う側臥位撮影が必要とされることがある。例えば、胸水の貯留が疑われる場合、胸水の有無を確認するのに、側臥位正面撮影が行われている。この場合、患者を寝台に寝かせ、フイルムを入れた放射線カセッテをテーブル上に鉛直に立て、被検者の横に位置させた管球よりＸ線撮影を行う手法が用いられていた。
【０００４】
一方、近年、半導体プロセス技術の進歩により、放射線をリアルタイムで直接にデジタル出力する放射線検出器が提案され、例えば、特開平８−１１６０４４号公報に記載されている。この放射線デジタル検出器はシンチレータと固体光検出器を積層した構成となっており、シンチレータは放射線を可視光に変換し、固体光検出器は可視光を光電変換するようになっている。固体光検出器は石英ガラスから成る基板上に、透明導電膜と導電膜から成る固体光検出素子をアモルファス半導体膜で挟んでマトリクス状に配列することにより製作が可能になっている。そして、このような放射線検出器は数ｍｍの厚さの平面パネル状であるため、放射線検出器を使用した撮影部は、薄型軽量化が容易となっている。また、このような撮影部はフイルムや蓄積性蛍光体シート等の消耗部材を用いることなくデジタル画像を直接に得ることができる為、従来では必要であった繰り返し作業、即ち放射線撮影部にフイルム又は蓄積性蛍光体シートを収納したカセッテを設定する作業や、撮影した後にカセッテを取り出して現像する作業が不要となり、撮影技師を煩雑な作業から解放している。
【０００５】
この放射線検出器を取り入れたデジタル撮影システムの例を、図６に示す。１０１はブッキー撮影台、１０２は立位撮影台であり、各々に放射線検出器１０５、１０６を内蔵した臥位撮像部１０３、立位撮像部１０４が取り付けられている。ブッキー撮影台１０１、立位撮影台１０２の２つの撮影システムを用いることにより、撮影形態のかなりの範囲をカバーする事が可能となる。但し、前述のように臥位状態で側臥位撮影を行う撮影手法が必要な場合がある。アナログ撮影では、前述のようにカセッテを用いていたが、カセッテほど小型軽量ではない放射線検出器を任意の位置にセットするのは容易ではない。
【０００６】
【発明が解決しようとする課題】
そこで本発明では、前述の事情に対処する撮影手法として、被検者を移動可能なストレッチャーに横たわらせた状態で、ストレッチャーを立位Ｘ線撮影装置の前に移動し、立位Ｘ線撮影装置を用いてＸ線撮影する手法を推奨する。図７はその説明図である。図７において、１１は被検者Ｐを寝載したストレッチャー、１２は立位Ｘ線撮像部、１３は立位Ｘ線撮像部を上下移動可能に支持する立位撮影台である。ストレッチャー１１は、被検者Ｐを寝載したまま立位撮影装置１２の前に横付けされ、側方に配置したＸ線管球からＸ線を照射して画像を得る。これにより、側臥位撮影で対応可能な診断部位であれば、ストレッチャーから撮影の為の寝台に被検者を載せ換える必要が無くなり、被検者、介助人の負担を軽減し、撮影の効率化、省力化を計ることが出来る。
【０００７】
また、新たな撮影機器を設けること無く、既存のシステムで対応可能な利点を有する。
【０００８】
但し、実際の使用に際し、以下のような問題の解決が望まれる。
▲１▼  ストレッチャーを立位撮影装置に近接させて用いるため、ストレッチャーが撮影装置に衝突する恐れがある。特に前述の放射線検出器を用いた撮影装置は、電子部品から構成される為、フイルムを用いた従来のアナログ撮影装置以上に取り扱いには注意が必要であり、このような衝撃は好ましくない。逆に、衝突を気遣うために、位置合わせに時間を費やすようでは、撮影効率が悪くなってしまう。
▲２▼  撮影時、被検者が立位撮影部を押す、また、寄りかかる恐れがある。これは相対的に、撮影装置からストレッチャーが引き離す力となり、被検者の落下等を招き大変危険である。
▲３▼  ストレッチャーと撮影部との間隔が一定とならない。ストレッチャーと撮影部とが接した状態では、ストレッチャーの長手方向の位置合わせや撮影部の上下方向の位置合わせが困難となる。
【０００９】
本発明は、上述の問題点を考慮して、ストレッチャーと立位Ｘ線撮影装置とを用いた側臥位撮影手法に適した撮影システムを提供するものである。
【００１０】
【課題を解決するための手段】
被検者のＸ線画像を立位姿勢で得るＸ線撮影装置において、前記Ｘ線撮影装置のＸ線撮像部の前方に、被検者を寝載したストレッチャーを横付けすることができ、横付け時に、ストレッチャーがＸ線撮像部に直接衝突することを防止するプロテクト手段を有する。
【００１１】
被検者のＸ線画像を立位姿勢で得るＸ線撮影装置において、前記Ｘ線撮影装置のＸ線撮像部の前方に、被検者を寝載したストレッチャーを横付けすることができ、横付け時に、ストレッチャーがＸ線撮像部に直接衝突することを防止するプロテクト手段と、Ｘ線撮像部の前方でストレッチャーの水平方向の動きを固定するロック手段とをする。
【００１２】
前記プロテクト手段は、ストレッチャーをＸ線撮像部と平行状態で移動可能とする摺動部材と、前記摺動部材をＸ線撮像部の前面より突出するように保持する支持部材とから構成する。
【００１３】
前記請求項１、２において、前記プロテクト手段とロック手段とが、Ｘ線撮像部の上下移動とは独立した上下移動手段を備える。
【００１４】
【発明の実施の形態】
以下、本発明の実施例を、図面を参照にして詳細に説明していく。
【００１５】
図１は本発明に係わる第一の実施例のＸ線撮影装置の説明図である。前述の図７において説明したように、１１は被検者Ｐを寝載したストレッチャー、１２は立位Ｘ線撮像部、１３は立位Ｘ線撮像部を上下移動可能に支持する立位撮影台である。ストレッチャー１１は、被検者Ｐを寝載したまま立位Ｘ線撮像部１２の前に横付けされる。図７と異なるのは、横付け時、及び、位置合わせ時に、ストレッチャー１１と立位Ｘ線撮像部１２との衝突を防止するプロテクト手段１４と、位置合わせ後に、ストレッチャー１１の水平方向の動きを固定するロック手段１５とを有している点である。
【００１６】
プロテクト手段１４は、例えば、図１の矢印Ａ側から見た図２のように構成することができる。立位撮影台１３の下部には、立位Ｘ線撮像部１２とは独立して上下移動可能な可動部２１を有し、そこから前方にフレーム２２が伸びている。フレーム２２は立位Ｘ線撮像部１２の両サイドに立位Ｘ線撮像部１２を挟む形態で位置し、各先端に摺動機構であるコロ２３が軸２４を介して回転自在に保持されている。コロ２３は、上下移動可能な可動部２１により、ストレッチャー１１の枠２５に接する高さに調整されている。また、接した状態で、ストレッチャー１１と立位Ｘ線撮像部１２前面との間に僅かな隙間Ｌが確保されるように、コロ２３の先端位置は立位Ｘ線撮像部１２の前面より距離Ｌ突出している。これにより、被検者Ｐを寝載したストレッチャー１１を立位Ｘ線撮像部１２の前に横付けする際、ストレッチャー１１と立位Ｘ線撮像部１２とが直接干渉せず、また、横付けにした状態でストレッチャー１１の長手方向の位置を立位Ｘ線撮像部１２と平行状態を維持したままスライドさせることを可能とし、撮影位置の調整を容易とする。
【００１７】
本説明図では、フレーム２２は、上下移動可能な可動部２１を介して立位撮影台１３に取り付けられていると述べたが、これは、高さの異なるストレッチャー１１に合わせ、コロ２３の高さ調整を可能とする為である。従って使用するストレッチャー１１の高さが常に一定である場合、コロ２３の高さ調整手段は必要なく、コロ２３を、使用するストレッチャー１１に合わせた一定の高さに設定しておき、フレーム２２を立位撮影台１３、又は、Ｘ線撮影室の床Ｆ、壁Ｗ等に固定することで構成を簡略化することが出来る。
【００１８】
撮影位置の調整後、ストレッチャー１１が不用意に移動することを防止する為、ロック手段１５により、ストレッチャー１１の水平移動の固定を行う。図３を用いて、ロック手段１５の構成例及び動作を説明する。図３（ａ）は非ロック状態、図３（ｂ）はロック状態を表している。図３（ａ）において、フレーム２２に回転軸３０を支点として回動可能なアーム３１が取り付けられている。アーム３１にはバネ掛け軸３１ａが、フレーム２２にはバネ掛け軸２２ａが各々設けられており、これに、引張バネ３２が掛けられ、張力が働いている。非ロック状態では、アーム３１は、引張バネ３２の張力により、回転軸３０を中心に左回りの回転力が働いており、フレーム２２に設けられたストッパー２２ｂに突き当たった位置で停止している。アーム３１には手動にて、アーム３１を回動させる為のレバー部３４が設けられている。
【００１９】
図３（ａ）の状態では、ストレッチャー１１は拘束されておらず、ストレッチャー１１を水平移動して撮影位置の調整が行える状態にある。そして、水平方向の位置合わせが終了した時点で、技師はレバー部３４を矢印Ｂ方向に回転させる。アーム３１は、回転の当初は引張バネ３２の張力により、初期位置に戻ろうとする左廻りの力が働いているが、バネが回転軸３０上方を超えた時点から、右回りの回転力が働くことになる。これにより、図３（ｂ）のロック状態となる。アーム３１の先端には、摩擦係数の大きな部材からなるストッパー部材３５が取り付けられており、図３（ｂ）の状態では、ストレッチャー１１の枠１８を、コロ２３とストッパー部材３５とで挟み込み、ストレッチャー１１の動きを拘束する。なおストレッチャー１１の枠形状により、ロック手段の機構、構成が変化するが、任意にストレッチャー１１を固定できるロック手段を設ければ、同様の効果が得られる。また、ストレッチャー１１自体に備えられているストッパー機構が水平方向への移動を十分に規制できるのものであれば、それを使用することも可能である。
【００２０】
本発明の構成では、前述のようにストレッチャー１１と立位Ｘ線撮像部１２との間はＬの隙間を確保している為、ストレッチャー１１の固定後もＸ線撮像部１２の上下移動は可能であり、上下方向の位置合わせは、常時可能となっている。
【００２１】
図４は、本実施例の第２の実施形態の説明図である。第１の実施形態では、プロテクト手段をＸ線撮像部１２外部に設けたが、第２の実施形態では、Ｘ線撮像部１２の前面に埋め込んでいる点が異なる。前述のようにストレッチャー１１自体に十分なストッパー機構を有している場合、第２の実施形態と組み合わせることにより、撮影装置周辺の構成を簡素化でき、通常の立位撮影時に邪魔にならない。
【００２２】
図４において、４１は立位Ｘ線撮像部１２の外装である前面カバーで、下部コーナー２箇所に、コロ４２が埋め込まれている。コロ４２の先端は、第１の実施形態と同様に、若干前面カバー４１より突出しており、ストレッチャーの枠１４（図４において２点鎖線で記載の位置に相当する。）が接する。また、撮像部を上方から見た図５のように、コロ４２は、立位Ｘ線撮像部１２の両側面からも若干突出しており、ストレッチャー１１の斜めからの衝突に対処できる構造となっている。
【００２３】
第２の実施形態では第１の実施形態に比べ、衝撃をＸ線撮像部１２内の放射線検出器に近い位置で受けることになる為、コロ４２は弾性を有した部材で構成するか、コロ４２を支える部材に衝撃を吸収できる構造をとることが好ましい。
【００２４】
なお、これらの実施例ではＸ線受像部１１に放射線検出器を用いた場合を前提として述べてきたが、これに限定されるわけではない。例えば、Ｘ線受像部にフイルムまたは蓄積性蛍光体シートを入れたカセッテを用いても同様の効果を得ることができる。
【００２５】
【発明の効果】
以上説明したように本発明に係わるＸ線撮影装置は、ストレッチャーがＸ線撮像部に直接衝突することを防ぎ、装置の損傷を未然に防止すると共に、撮影時の被検者への安全が確保される。これにより、側臥位撮影で対応可能な診断部位であれば、ストレッチャーから撮影の為の寝台に被検者を載せ換える必要が無くなり、被検者、介助人の負担を軽減し、撮影の効率化、省力化を計ることが出来る。
【図面の簡単な説明】
【図１】本発明に係わるＸ線撮影装の第１の実施例を示す。
【図２】本発明に係わるＸ線撮影装の第１の実施例を示す。
【図３】本発明に係わるＸ線撮影装の第１の実施例を示す。
【図４】本発明の第２の実施例である。
【図５】本発明の第２の実施例である。
【図６】従来の実施例を示す図である。
【図７】従来の実施例を示す図である。
【符号の説明】
Ｐ              被検者
１１  ストレッチャー
１２  立位Ｘ線撮像部
１３  立位撮影台
１４  プロテクト手段
１５  ロック手段
２１  可動部
２２  フレーム
２３  コロ
３１  アーム
３２  引張バネ
【図１】
2005006889.tif 000003
【図２】
2005006889.tif 000004
【図３】
2005006889.tif 000005
【図４】
2005006889.tif 000006
【図５】
2005006889.tif 000007
【図６】
2005006889.tif 000008
【図７】
2005006889.tif 000009